(57)【要約】【課題】外部の装置からプロジェクターに入力される画像のアスペクト比や解像度を、プロジェクターの機能や動作により変更する。【解決手段】プロジェクター１は、画像インターフェイス部５２と、画像情報Ｄに基づく投射画像をスクリーンＳＣに投射する投射部３と、投射画像のアスペクト比を設定する設定部１４と、設定部１４で設定されたアスペクト比に従って、投射画像を投射部３に投射させる投射制御部１１と、画像情報Ｄのアスペクト比に関する第１の情報をＰＣ１００に送信させるＥＤＩＤ処理部１５と、を有し、ＥＤＩＤ処理部１５は、設定部１４が投射画像のアスペクト比を第１のアスペクト比から第２のアスペクト比に変更すると、第２のアスペクト比に基づく第１の情報をＰＣ１００へ送信させる。【選択図】図２
2019134263.tif 000002
【特許請求の範囲】
【請求項１】
プロジェクターであって、
外部の装置と通信する通信部と、
前記通信部を介して前記外部の装置から前記プロジェクターに送信されてきた画像情報に基づく投射画像を投射面に投射する投射部と、
前記投射画像のアスペクト比を設定する設定部と、
前記設定部で設定されたアスペクト比に従って、前記投射画像を前記投射部に投射させる投射制御部と、
前記外部の装置が送信する前記画像情報のアスペクト比に関する第１の情報を、前記通信部により前記外部の装置に送信させる制御部と、を有し、
前記制御部は、前記設定部が前記投射画像のアスペクト比を第１のアスペクト比から第２のアスペクト比に変更すると、前記第２のアスペクト比に基づく前記第１の情報を、前記通信部により前記外部の装置へ送信させる、プロジェクター。
【請求項２】
前記第１の情報は、前記外部の装置が送信する前記画像情報のアスペクト比を含む、請求項１記載のプロジェクター。
【請求項３】
操作を受け付ける操作部を備え、
前記設定部は、前記操作部が受け付けた操作により指定されたアスペクト比に基づいて前記投射画像のアスペクト比を設定する、請求項１または２記載のプロジェクター。
【請求項４】
前記投射面に適合するアスペクト比を検出する検出部を備え、
前記設定部は、前記検出部の検出結果に基づいて前記投射画像のアスペクト比を設定する、請求項１または２記載のプロジェクター。
【請求項５】
前記検出部は、前記投射部により投射可能な前記投射画像のアスペクト比の候補から、前記投射面に適合するアスペクト比を選択し、前記投射面に適合するアスペクト比が前記アスペクト比の候補に含まれない場合は、前記投射面から前記投射画像が逸脱しないアスペクト比を前記アスペクト比の候補から選択する、請求項４記載のプロジェクター。
【請求項６】
前記投射面を撮像する撮像部を備え、
前記検出部は、前記撮像部の撮像画像に基づき前記投射面に適合するアスペクト比を選択する、請求項４または５記載のプロジェクター。
【請求項７】
前記撮像部により前記投射面を撮像する際に、前記投射部は、前記通信部を介して前記外部の装置から前記プロジェクターに送信されてきた画像情報に基づく前記投射画像の投射を停止する、請求項６記載のプロジェクター。
【請求項８】
前記投射部は、光源と、画像を形成する画像形成部を有し、前記画像形成部に形成される画像により前記光源が発した光を変調する変調部と、を備え、
前記撮像部により前記投射面を撮像する際に、前記投射部は、前記画像形成部の画面解像度で検出用画像を投射する、請求項７記載のプロジェクター。
【請求項９】
前記画像形成部に形成される画像の幾何補正を行う画像処理部を備え、
前記撮像部により前記投射面を撮像する際に、前記画像処理部による幾何補正を停止する、請求項８記載のプロジェクター。
【請求項１０】
前記第１の情報は、前記画像情報のアスペクト比の複数の候補と、各々の前記候補の優先順位を指定する情報とを含み、
前記制御部は、前記第２のアスペクト比を前記候補として含み、前記第２のアスペクト比の優先順位が他のアスペクト比よりも高い前記第１の情報を、前記通信部により送信させる、請求項１から４のいずれか１項に記載のプロジェクター。
【請求項１１】
前記第１の情報は、前記画像情報のアスペクト比の候補を含み、
前記制御部は、前記設定部が前記投射画像のアスペクト比を前記第１のアスペクト比から前記第２のアスペクト比に変更すると、前記第１の情報に含まれる前記候補の数を減少させて、前記第２のアスペクト比を含ませる処理を前記第１の情報に対して行い、処理後の前記第１の情報を前記通信部により送信させる、請求項１から４のいずれか１項に記載のプロジェクター。
【請求項１２】
外部の装置と通信する通信部と、前記通信部を介して前記外部の装置から送信される画像情報に基づく投射画像を投射面に投射する投射部と、を有するプロジェクターの制御方法であって、
前記投射画像のアスペクト比を設定し、
設定したアスペクト比に従って、前記投射画像を前記投射部に投射させ、
前記外部の装置が送信する前記画像情報を対象とし、アスペクト比の設定に関する第１の情報を、前記通信部により前記外部の装置に送信し、
前記投射画像のアスペクト比の設定を第１のアスペクト比から第２のアスペクト比に変更した場合に、前記第２のアスペクト比に基づく前記第１の情報を、前記通信部により前記外部の装置へ送信する、プロジェクターの制御方法。
【発明の詳細な説明】
【技術分野】
【０００１】
本発明は、プロジェクター、及び、プロジェクターの制御方法に関する。
【背景技術】
【０００２】
従来、外部から入力される画像に基づき投射画像を投射するプロジェクターにおいて、リモコンや操作パネルの操作に従って、投射画像のアスペクト比を変更する例が知られている（例えば、特許文献１参照）。
【先行技術文献】
【特許文献】
【０００３】
【特許文献１】特開２０１３−２３９８３５号公報
【発明の概要】
【発明が解決しようとする課題】
【０００４】
特許文献１記載のプロジェクターは、スクリーンに投射する投射画像のアスペクト比を変更できる。しかしながら、プロジェクターの動作によって、パーソナルコンピューターやディスク再生装置などの外部の装置からプロジェクターに入力される画像のアスペクト比や解像度を変更する例は、従来なかった。
本発明は、上述した事情に鑑みてなされたものであり、外部の装置からプロジェクターに入力される画像のアスペクト比や解像度を、プロジェクターの機能や動作により変更することを目的とする。
【課題を解決するための手段】
【０００５】
上記課題を解決するため、本発明は、プロジェクターであって、外部の装置と通信する通信部と、前記通信部を介して前記外部の装置から前記プロジェクターに送信されてきた画像情報に基づく投射画像を投射面に投射する投射部と、前記投射画像のアスペクト比を設定する設定部と、前記設定部で設定されたアスペクト比に従って、前記投射画像を前記投射部に投射させる投射制御部と、前記外部の装置が送信する前記画像情報のアスペクト比に関する第１の情報を、前記通信部により前記外部の装置に送信させる制御部と、を有し、前記制御部は、前記設定部が前記投射画像のアスペクト比を第１のアスペクト比から第２のアスペクト比に変更すると、前記第２のアスペクト比に基づく前記第１の情報を、前記通信部により前記外部の装置へ送信させる。
本発明によれば、プロジェクターの投射画像のアスペクト比に基づく第１の情報を、外部の装置に送信する。このため、プロジェクターが外部の装置から受信する画像情報のアスペクト比や解像度を、プロジェクターの機能により変更させることが可能となる。
【０００６】
また、本発明は、前記第１の情報は、前記外部の装置が送信する前記画像情報のアスペクト比を含む情報であってもよい。
この構成によれば、外部の装置がプロジェクターに送信する画像情報のアスペクト比、或いは、解像度を、プロジェクターの機能によって指定できる。
【０００７】
また、本発明は、操作を受け付ける操作部を備え、前記設定部は、前記操作部が受け付けた操作により指定されたアスペクト比に基づいて前記投射画像のアスペクト比を設定する構成としてもよい。
この構成によれば、外部の装置から、ユーザーの操作により設定されるアスペクト比または解像度に対応する画像情報を、プロジェクターに送信できる。
【０００８】
また、本発明は、前記投射面に適合するアスペクト比を検出する検出部を備え、前記設定部は、前記検出部の検出結果に基づいて前記投射画像のアスペクト比を設定する構成としてもよい。
この構成によれば、投射画像のアスペクト比を容易に設定できる。
【０００９】
また、本発明は、前記検出部は、前記投射部により投射可能な前記投射画像のアスペクト比の候補から、前記投射面に適合するアスペクト比を選択し、前記投射面に適合するアスペクト比が前記アスペクト比の候補に含まれない場合は、前記投射面から前記投射画像が逸脱しないアスペクト比を前記アスペクト比の候補から選択する構成としてもよい。
この構成によれば、投射面に適合するアスペクト比が候補の中にない場合であっても、投射画像のアスペクト比を候補から選択して設定できる。
【００１０】
また、本発明は、前記投射面を撮像する撮像部を備え、前記検出部は、前記撮像部の撮像画像に基づき前記投射面に適合するアスペクト比を選択する構成としてもよい。
この構成によれば、投射面を撮像することで、投射画像のアスペクト比を容易に設定できる。
【００１１】
また、本発明は、前記撮像部により前記投射面を撮像する際に、前記投射部は、前記通信部を介して前記外部の装置から前記プロジェクターに送信されてきた画像情報に基づく前記投射画像の投射を停止する構成としてもよい。
この構成によれば、投射面の形状やアスペクト比等を適切に検出できる。
【００１２】
また、本発明は、前記投射部は、光源と、画像を形成する画像形成部を有し、前記画像形成部に形成される画像により前記光源が発した光を変調する変調部と、を備え、前記撮像部により前記投射面を撮像する際に、前記投射部は、前記画像形成部の画面解像度で検出用画像を投射する構成としてもよい。
この構成によれば、投射部が備える画像形成部と投射面との適合状態を、正確に検出できる。
【００１３】
また、本発明は、前記画像形成部に形成される画像の幾何補正を行う画像処理部を備え、前記撮像部により前記投射面を撮像する際に、前記画像処理部による幾何補正を停止する構成としてもよい。
この構成によれば、画像形成部と投射面との適合状態を、より正確に検出できる。
【００１４】
また、本発明は、前記第１の情報は、前記画像情報のアスペクト比の複数の候補と、各々の前記候補の優先順位を指定する情報とを含み、前記制御部は、前記第２のアスペクト比を前記候補として含み、前記第２のアスペクト比の優先順位が他のアスペクト比よりも高い前記第１の情報を、前記通信部により送信させる構成としてもよい。
この構成によれば、外部の装置が送信する画像情報のアスペクト比を、プロジェクターの投射画像に適したアスペクト比に設定させることができる。
【００１５】
また、本発明は、前記第１の情報は、前記画像情報のアスペクト比の候補を含み、前記制御部は、前記設定部が前記投射画像のアスペクト比を前記第１のアスペクト比から前記第２のアスペクト比に変更すると、前記第１の情報に含まれる前記候補の数を減少させて、前記第２のアスペクト比を含ませる処理を前記第１の情報に対して行い、処理後の前記第１の情報を前記通信部により送信させる構成としてもよい。
この構成によれば、外部の装置が送信する画像情報のアスペクト比を、プロジェクターの投射画像に適したアスペクト比に設定させることができる。
【００１６】
また、本発明は、外部の装置と通信する通信部と、前記通信部を介して前記外部の装置から送信される画像情報に基づく投射画像を投射面に投射する投射部と、を有するプロジェクターの制御方法であって、前記投射画像のアスペクト比を設定し、設定したアスペクト比に従って、前記投射画像を前記投射部に投射させ、前記外部の装置が送信する前記画像情報を対象とし、アスペクト比の設定に関する第１の情報を、前記通信部により前記外部の装置に送信し、前記投射画像のアスペクト比の設定を第１のアスペクト比から第２のアスペクト比に変更した場合に、前記第２のアスペクト比に基づく前記第１の情報を、前記通信部により前記外部の装置へ送信する。
本発明によれば、プロジェクターの投射画像のアスペクト比に基づく第１の情報を、外部の装置に送信する。このため、プロジェクターが外部の装置から受信する画像情報のアスペクト比や解像度を、プロジェクターの機能により変更させることが可能となる。
【００１７】
本発明は、上述したプロジェクター、及び、プロジェクターの制御方法以外の種々の形態で実現することも可能である。例えば、上記の方法を実行するためにコンピューター（或いはプロセッサー）が実行するプログラムとして実現してもよい。また、上記プログラムを記録した記録媒体、プログラムを配信するサーバー装置、上記プログラムを伝送する伝送媒体、上記プログラムを搬送波内に具現化したデータ信号等の形態で実現できる。
【図面の簡単な説明】
【００１８】
【図１】表示システムの概略構成図。
【図２】プロジェクターのブロック図。
【図３】アスペクト比データ及びＥＤＩＤの構成例を示す図。
【図４】アスペクト比データ及びＥＤＩＤの構成例を示す図。
【図５】投射画像とスクリーンのアスペクト比の対応例を示す図。
【図６】表示システムの動作を示すフローチャート。
【図７】プロジェクターの動作を示すフローチャート。
【図８】プロジェクターの動作を示すフローチャート。
【発明を実施するための形態】
【００１９】
［表示システムの構成］
図１は、本発明を適用した実施形態に係る表示システム２００の概略構成図である。
表示システム２００は、表示装置としてのプロジェクター１と、プロジェクター１に外部の装置として接続されたＰＣ１００とを備える。ＰＣ１００は、プロジェクター１に画像情報Ｄを出力し、プロジェクター１は、ＰＣ１００から入力される画像情報Ｄに基づき、スクリーンＳＣに投射画像Ｐを投射する。プロジェクター１による投射画像Ｐの投射は、表示装置による画像の表示の一例である。
【００２０】
ＰＣ１００が出力する画像情報Ｄは、アナログ画像信号、及び、デジタル画像データのいずれであってもよい。また、画像情報Ｄの内容は、静止画像であっても動画像であってもよく、音声信号または音声データを伴ってもよい。
【００２１】
スクリーンＳＣ（投射面）は、幕状のスクリーンであってもよいし、建造物の壁面や設置物の平面をスクリーンＳＣとして利用してもよい。スクリーンＳＣは平面に限らず、曲面や、凹凸を有する面であってもよい。
【００２２】
ＰＣ１００は、プロジェクター１に画像情報Ｄを出力する画像供給装置の一例である。画像供給装置は、いわゆる画像ソースであり、プロジェクター１に接続可能であって、プロジェクター１に画像情報Ｄを出力できる機器であればよく、ＰＣ１００に限定されない。例えば、ディスク型記録メディア再生装置、テレビチューナー装置を画像ソースとして用いてもよい。
【００２３】
［プロジェクターの構成］
図２は、プロジェクター１の構成を示すブロック図である。
プロジェクター１は、プロジェクター１の各部を制御する制御部２と、投射画像Ｐを投射する投射部３とを備える。制御部２は、ＣＰＵ１０、及び、メモリー２０等により構成される。メモリー２０は、ＣＰＵ１０が実行する制御プログラムやデータを不揮発的に記憶する記憶装置であり、フラッシュＲＯＭ等の半導体記憶素子等で構成される。メモリー２０は、ＣＰＵ１０のワークエリアを構成するＲＡＭを含んでもよい。
【００２４】
ＣＰＵ１０は、メモリー２０に保存されたプロジェクター１の制御プログラム２１を実行することによって、投射制御部１１、通信制御部１２、操作検出部１３、設定部１４、及び、ＥＤＩＤ処理部１５として機能する。つまり、これらの機能ブロックは、ＣＰＵ１０が、制御プログラム２１を実行することにより、ソフトウェアとハードウェアの協働により実現される。
【００２５】
メモリー２０は、制御プログラム２１のほか、設定データ２２、撮像画像データ２３、解像度データ２４、ＥＤＩＤ（Ｅｘｔｅｎｄｅｄ  Ｄｉｓｐｌａｙ  Ｉｄｅｎｔｉｆｉｃａｔｉｏｎ  Ｄａｔａ）２５、及び、検出用画像データ２６を記憶する。メモリー２０が記憶する各データ、及び、ＣＰＵ１０の各機能については後述する。
【００２６】
投射部３は、光源３１、光変調装置３２、液晶パネル３３、及び、投射光学系３４を備える。光源３１は、ハロゲンランプ、キセノンランプ、超高圧水銀ランプ等のランプ、或いは、ＬＥＤやレーザー光源等の固体光源で構成される。光源３１は、光源駆動部３５から供給される電力により点灯し、光変調装置３２に向けて光を発する。
【００２７】
光源駆動部３５は、制御部２の制御に従って光源３１に駆動電流やパルスを供給し、光源３１を発光させる。
【００２８】
光変調装置３２（変調部）は、光変調装置駆動部３６により駆動されて画像を形成する液晶パネル３３（画像形成部）を備える。光変調装置３２は、液晶パネル３３に形成した画像により、光源３１が発した光を変調して画像光を生成し、投射光学系３４に向けて投射する。
液晶パネル３３は、例えば、光源３１が発した光を透過する透過型液晶パネルであるが、反射型液晶パネルであってもよい。また、光変調装置３２は、液晶パネル３３に代えて、デジタルミラーデバイス（ＤＭＤ）を用いた構成としてもよい。また、光変調装置３２は、Ｒ（赤），Ｇ（緑），Ｂ（青）の各色の色光を変調する３枚の液晶パネル３３を備えた構成であってもよい。
【００２９】
光変調装置駆動部３６は、後述する画像処理部４１から入力される画像信号に従って、液晶パネル３３を駆動して、液晶パネル３３の各画素の階調を設定し、液晶パネル３３にフレーム単位で画像を描画する。
【００３０】
投射光学系３４は、レンズやミラー等の光学素子を備え、光変調装置３２で変調された光をスクリーンＳＣ上に結像させ、投射画像Ｐを投射する。また、投射光学系３４は、ズームレンズと、ズームレンズを移動させるズーム機構とを備え、ユーザーの操作または制御部２の制御により、投射画像Ｐのズーム倍率を調整可能であってもよい。
【００３１】
また、プロジェクター１は、画像処理部４１、フレームメモリー４２、撮像部４３、入力処理部４４、操作パネル４５、リモコン受光部４６、インターフェイス部５１、画像インターフェイス部５２、及び、無線通信部５３を備える。これらの各部は、バス５０を介して制御部２とデータ通信可能に接続される。
【００３２】
インターフェイス（Ｉ／Ｆ）部５１、画像インターフェイス（Ｉ／Ｆ）部５２、及び、無線通信部５３は、外部の装置と接続されるインターフェイスである。これらは本発明の通信部に相当し、別の表現では接続部ということもできる。
【００３３】
インターフェイス部５１は、データ通信用の有線インターフェイスであり、コネクター（図示略）及びインターフェイス回路（図示略）等を備える。インターフェイス部５１は、ケーブルを介して、ＰＣ１００等の外部の装置に接続され、制御部２の制御に従って、外部の装置との間でデジタル画像データや制御データ等を送受信する。インターフェイス部５１には、ＬＡＮインターフェイスや、ＵＳＢインターフェイスを採用できる。
【００３４】
画像インターフェイス部５２は、デジタル画像データやアナログ画像信号等の画像情報Ｄが入力される画像入力用のインターフェイスである。画像インターフェイス部５２は、コネクター（図示略）及びインターフェイス回路（図示略）等を備え、ケーブルを介して、ＰＣ１００等の画像供給装置に接続される。画像インターフェイス部５２には、ＨＤＭＩ（登録商標）、ＤＳｕｂインターフェイス等を採用できる。画像インターフェイス部５２は、画像情報Ｄが入力されるだけでなく、制御データを送受信可能であってもよい。例えば、画像インターフェイス部５２が、デジタル画像データが入力されるチャネルと、制御データを送受信するチャネルとを備える構成であってもよい。
【００３５】
本実施形態では、画像インターフェイス部５２に、ケーブルを介してＰＣ１００が接続され、制御部２は、ＰＣ１００が出力するデジタル画像データを、画像インターフェイス部５２を介して受信する。また、制御部２は、画像インターフェイス部５２を介して、ＰＣ１００との間で制御データを送受信する。
【００３６】
無線通信部５３は、アンテナやＲＦ回路（図示略）等を備え、制御部２の制御に従って外部の装置との間で無線データ通信を実行する。無線通信部５３は、例えば、無線ＬＡＮ（Ｗｉ−Ｆｉ（登録商標）を含む）、Ｂｌｕｅｔｏｏｔｈ（登録商標）等の無線通信を実行する。
【００３７】
光変調装置駆動部３６には、画像処理部４１から、光変調装置３２に描画する画像の画像信号が入力される。光変調装置駆動部３６は、画像処理部４１が出力する画像信号に基づき、光変調装置３２を駆動する。
【００３８】
画像処理部４１は、フレームメモリー４２に接続される。インターフェイス部５１、画像インターフェイス部５２または無線通信部５３により受信した画像情報Ｄに基づく画像を、フレームメモリー４２に展開する。画像処理部４１は、フレームメモリー４２に展開した画像に対し、各種の画像処理を実行する。例えば、画像処理部４１は、画像データの解像度を、設定された解像度に合わせて変換する解像度変換処理を実行する。また、画像処理部４１は、画像データの形状を補正することにより、例えば台形歪みを補正する幾何補正処理を実行する。また。画像処理部４１は、画像の色調を補正する色調補正処理等を実行する構成であってもよい。
【００３９】
画像処理部４１は、フレームメモリー４２に展開した画像を表示するための画像信号を生成し、光変調装置駆動部３６に出力する。
【００４０】
撮像部４３は、制御部２の制御に従って撮像を行い、撮像画像データを出力するデジタルカメラである。本実施形態の撮像部４３の撮像範囲は、スクリーンＳＣを含む。
【００４１】
入力処理部４４（操作部）は、操作パネル４５、及び、リモコン受光部４６に接続される。入力処理部４４は、操作パネル４５またはリモコン受光部４６で操作を受け付けた場合に、受け付けた操作に対応する操作データを生成して制御部２に出力する。
【００４２】
操作パネル４５は、プロジェクター１の筐体に設けられ、ユーザーが操作可能な各種スイッチを備える。入力処理部４４は、操作パネル４５の各スイッチの操作を検出する。
リモコン受光部４６は、リモコン４７が送信する赤外線信号を受光する。入力処理部４４は、リモコン受光部４６が受光した信号をデコードして、操作データを生成し、制御部２に出力する。
【００４３】
メモリー２０が記憶する設定データ２２は、プロジェクター１の動作に関する設定値を含む。設定データ２２に含まれる設定値は、例えば、画像処理部４１が実行する処理内容、画像処理部４１の処理に用いるパラメーター等である。
【００４４】
撮像画像データ２３は、撮像部４３が出力する撮像画像データである。
解像度データ２４は、プロジェクター１が対応する画像情報Ｄのアスペクト比を指定する情報を含むデータである。プロジェクター１は、解像度データ２４で指定されるアスペクト比の画像情報Ｄを処理して、投射画像Ｐを投射可能である。アスペクト比は解像度から一義的に求めることができるので、解像度データ２４は、解像度またはアスペクト比のいずれかを指定する情報を含んでいればよい。また、解像度データ２４は、アスペクト比と解像度の両方を含んでもよい。アスペクト比と、解像度とを総称する呼び方として、画像形態と呼ぶことができる。プロジェクター１が対応する画像情報Ｄのアスペクト比は、液晶パネル３３と一致するアスペクト比に限らず、液晶パネル３３とは異なるアスペクト比であってもよい。従って、解像度データ２４は、複数のアスペクト比を含んでいてもよい。
【００４５】
本実施形態の説明において、解像度とは、いわゆる画面解像度を指す。投射画像Ｐなどの画像の解像度は、画像を構成する画素数を指す。また、アナログ画像信号の解像度は、垂直方向の走査線の数と、水平方向の画素数であり、画像データの解像度は画像の縦方向及び横方向の画素数をいう。また、液晶パネル３３の解像度は、液晶パネル３３が有する画素のうち画像を形成可能な画素であって、画像光の生成に用いられる画素の縦方向及び横方向の数を指す。また、アスペクト比は、横方向の画素数またはドット数と、縦方向の画素数またはドット数との比を指す。
【００４６】
ＥＤＩＤ２５（第１の情報）は、プロジェクター１がＰＣ１００に対して送信するデータである。ＥＤＩＤ２５は、プロジェクター１が対応する画像情報Ｄの解像度、及び、アスペクト比の少なくともいずれかを示す情報を含む。ＥＤＩＤは、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）により規格化されたデータフォーマットである。より詳細には、ＥＤＩＤは、ＤＤＣ（Ｄｉｓｐｌａｙ  Ｄａｔａ  Ｃｈａｎｎｅｌ）で伝送されるデータのフォーマットである。ＥＤＩＤフォーマットは、表示装置の画面解像度等、及び／またはアスペクト比を示す情報を設定可能な、「Ｓｔａｎｄａｒｄ  ｔｉｍｉｎｇｓ  ｓｕｐｐｏｒｔｅｄ」項目を有する。言い換えれば、ＥＤＩＤ２５は、解像度データ２４に含まれるアスペクト比を指定する情報を、ＥＤＩＤの「Ｓｔａｎｄａｒｄ  ｔｉｍｉｎｇｓ  ｓｕｐｐｏｒｔｅｄ」項目に設定したデータである。
【００４７】
プロジェクター１は、ＥＤＩＤ２５を、インターフェイス部５１、画像インターフェイス部５２または無線通信部５３により、ＰＣ１００に送信する。ＰＣ１００は、ＥＤＩＤ２５に基づき、プロジェクター１に出力する画像情報Ｄのアスペクト比、及び、解像度を決定する。
【００４８】
検出用画像データ２６は、制御部２が、スクリーンＳＣのアスペクト比を検出する処理において、検出用画像を投射するためのデータである。検出用画像データ２６は、検出用画像の画像データであってもよいし、検出用画像を生成するためのテンプレートや演算処理用の関数等であってもよい。例えば、検出用画像は、記号、マーク、画像コードなど、光学的に検出可能なシンボルを含む画像である。この場合、検出用画像を投射画像ＰとしてスクリーンＳＣに投射している状態で、スクリーンＳＣを撮像した場合に、制御部２が撮像画像データを解析することで上記シンボルを撮像画像データから検出できる。
【００４９】
また、プロジェクター１は、インターフェイス部５１、画像インターフェイス部５２、または無線通信部５３により、画像供給装置から受信した画像情報Ｄを、一時的にメモリー２０に記憶してもよい。
【００５０】
投射制御部１１は、光源駆動部３５、及び光変調装置駆動部３６を制御して、画像処理部４１が出力する画像信号に従って投射画像Ｐを投射させる。
また、投射制御部１１は、画像処理部４１を制御して、画像情報Ｄに基づき画像をフレームメモリー４２に展開させる。投射制御部１１は、画像処理部４１により、解像度変換処理、及び、幾何補正処理を含む各種処理を実行させる。
【００５１】
通信制御部１２は、インターフェイス部５１、画像インターフェイス部５２、及び無線通信部５３に接続された外部の機器との間のデータ通信を実行する。通信制御部１２は、外部の機器から画像情報Ｄが入力された場合、入力された画像情報Ｄを画像処理部４１により処理させる。また、通信制御部１２は、ＥＤＩＤ２５を、外部の機器に送信する。
【００５２】
操作検出部１３は、入力処理部４４から入力される操作データに基づき、操作パネル４５やリモコン４７による操作を検出する。
設定部１４は、ＥＤＩＤ２５に設定するアスペクト比を設定する。設定部１４は、操作検出部１３が検出した操作、または、撮像部４３の撮像画像データに基づき、ＰＣ１００から入力される画像情報Ｄのアスペクト比として、適切なアスペクト比を選択し、設定する。設定部１４は、設定したアスペクト比に基づき、解像度データ２４を生成し、或いは、解像度データ２４を更新する。
【００５３】
ＥＤＩＤ処理部１５は、設定部１４により設定された解像度データ２４のアスペクト比を含むように、ＥＤＩＤ２５を編集する。ＥＤＩＤ処理部１５は、編集したＥＤＩＤ２５を、インターフェイス部５１、画像インターフェイス部５２または無線通信部５３により送信させる。
【００５４】
［投射画像とスクリーンのアスペクト比］
図３及び図４は、解像度データ２４及びＥＤＩＤ２５の構成例を示す図である。
図３には、解像度データ２４の構成例を示す。図４には、ＥＤＩＤ２５の構成例を示す。図３の解像度データ２４は、プロジェクター１が実行可能な表示モードの候補について、投射画像Ｐの解像度またはアスペクト比を指定する情報を含む。この解像度データ２４は、液晶パネル３３が１２８０画素×７６８画素で構成される場合の例であり、プロジェクター１が、ＷＸＧＡ、ＸＧＡ、ＨＤ＋の３通りの表示モードで投射画像Ｐを投射可能であることを示している。
【００５５】
ＷＸＧＡモードは、投射画像Ｐの解像度を１２８０ドット×７６８ドットとして投射する表示モードである。ＷＸＧＡモードでは投射画像Ｐの解像度が液晶パネル３３の解像度と一致している。また、投射画像Ｐのアスペクト比は横：縦＝５：３であり、液晶パネル３３のアスペクト比と同一である。
ＷＸＧＡモードは、画像情報Ｄの解像度が１２８０ドット×７６８ドットである場合に実行される。また、画像情報Ｄのアスペクト比が横：縦＝５：３であって、画像情報Ｄの解像度が１２８０ドット×７６８ドットでない場合に、プロジェクター１はＷＸＧＡモードを実行し、画像情報Ｄに対して画像処理部４１により解像度変換処理を実行する。ここで、画像処理部４１は、画像情報Ｄのアスペクト比を維持して解像度変換処理を行う。
【００５６】
ＸＧＡモードは、投射画像Ｐの解像度を１０２４ドット×７６８ドットとして投射する表示モードである。ＸＧＡモードは、画像情報Ｄの解像度が１０２４ドット×７６８ドットである場合、および、画像情報Ｄのアスペクト比が横：縦＝４：３である場合に、プロジェクター１により実行される。画像情報Ｄのアスペクト比が横：縦＝４：３であって解像度が１０２４ドット×７６８ドットでない場合、画像処理部４１は解像度変換処理を行う。
【００５７】
ＨＤ＋モードは、投射画像Ｐの解像度を１６００ドット×９００ドットとして投射する表示モードである。ＨＤ＋モードは、ＷＸＧＡ＋＋モードとも呼ばれる。ＨＤ＋モードは、画像情報Ｄの解像度が１６００ドット×９００ドットである場合、および、画像情報Ｄのアスペクト比が横：縦＝１６：９である場合に、プロジェクター１により実行される。画像情報Ｄのアスペクト比が横：縦＝１６：９であって解像度が１６００ドット×９００ドットでない場合、画像処理部４１は解像度変換処理を行う。
【００５８】
プロジェクター１が実行可能な表示モードは図３の例に限定されない。例えば、１２８０×８００ドット、１３６６×７６８ドット、１２８０×８００ドット等の解像度の表示モードを実行可能であってもよい。また、表示モードは、画像情報Ｄのリフレッシュレート（垂直同期周波数ともいう）で区別してもよい。この場合、解像度データ２４は、画面解像度が同一であり、リフレッシュレートが異なる複数の表示モードを含んでもよい。
【００５９】
また、図３に例示した各表示モードにおいて、画像処理部４１は、フレームメモリー４２に描画した画像に対し幾何補正処理を行うことができる。画像処理部４１の幾何補正処理は、フレームメモリー４２に描画された画像の画素数を変化させることがある。例えば、ＷＸＧＡモードでスクリーンＳＣに投射される投射画像Ｐが、フレームメモリー４２において１２８０ドット×７６８ドットの画像であるとは限らない。換言すれば、ＷＸＧＡモードは、画像処理部４１が、画像情報Ｄを、１２８０ドット×７６８ドットの画像として処理する表示モードである。ＸＧＡモード、ＨＤ＋モード、及びその他の表示モードでも同様である。
【００６０】
図４は、図３の解像度データ２４に基づき作成されるＥＤＩＤ２５の例を示す。ＥＤＩＤ２５は、プロジェクター１が処理可能な画像情報Ｄの解像度、及び／またはアスペクト比の候補を含む。図４の例のＥＤＩＤ２５は、候補２５Ａ、２５Ｂ、２５Ｃを含む。この場合、プロジェクター１は、候補２５Ａ、２５Ｂ、２５Ｃのいずれかに該当する画像情報Ｄが入力された場合、この画像情報Ｄに基づく投射画像Ｐを投射できる。ＥＤＩＤ２５は、解像度およびアスペクト比の少なくともいずれかを指定する情報を含み、リフレッシュレートを指定する情報を含んでもよい。
【００６１】
ＰＣ１００が出力する画像情報Ｄのアスペクト比または解像度は、ＰＣ１００のハードウェア構成やソフトウェアの仕様により決定されるが、通常、いくつかの候補の中から選択可能である。ＰＣ１００は、プロジェクター１から受信したＥＤＩＤ２５の候補２５Ａ、２５Ｂ、２５Ｃのうち、ＰＣ１００が出力可能な解像度及び／またはアスペクト比に一致する候補を選択し、選択した候補と同じ解像度及び／またはアスペクト比の画像情報Ｄを出力する。
【００６２】
ＥＤＩＤ２５における候補２５Ａ、２５Ｂ、２５Ｃの並び順は、候補２５Ａ、２５Ｂ、２５Ｃの優先順位を示している。図４の例では、候補２５Ａ、２５Ｂ、２５Ｃは上から順に選択される。ＰＣ１００は、ＥＤＩＤ２５が含む候補２５Ａ、２５Ｂ、２５Ｃの中に、ＰＣ１００が出力可能な解像度及び／またはアスペクト比に一致する候補が複数ある場合、優先順位が高い候補を選択する。
【００６３】
図５は、投射画像ＰとスクリーンＳＣのアスペクト比の対応例を示す図である。
図５には、アスペクト比が横：縦＝１６：９のスクリーンＳＣ１、及び、横：縦＝４：３のスクリーンＳＣ２を用い、横：縦＝４：３の投射画像Ｐ１、及び、横：縦＝１６：９の投射画像Ｐ２を投射した例を示す。
【００６４】
図５に符号Ａ、Ｂで示す例は、スクリーンＳＣ１に投射画像Ｐ１を投射した例である。
符号Ａの例では、投射画像Ｐ１がスクリーンＳＣ１に収まっている。スクリーンＳＣ１には、投射画像Ｐ１が投射されていない非投射領域ＳＣ１１、ＳＣ１２が生じるが、投射画像Ｐ１を良好に視認できる。
【００６５】
これに対し、符号Ｂの例では、横方向においては投射画像Ｐ１がスクリーンＳＣ１に収まっているが、縦方向ではスクリーンＳＣ１の外に投射画像Ｐ１がはみ出している。はみ出した領域Ｐ１１、Ｐ１２の画像は、スクリーンＳＣ１の外にあるため、視認性が低い。
【００６６】
符号Ｃの例では、横方向においてスクリーンＳＣ２の外に投射画像Ｐ２がはみ出しており、はみ出した領域Ｐ２１、Ｐ２２では投射画像Ｐの画像の視認性が低い。
符号Ｄの例では、投射画像Ｐ２がスクリーンＳＣ２に収まっており、投射画像Ｐ２の全体が良好に視認できる。
【００６７】
図５の符号Ａ〜Ｄの例は、いずれもスクリーンＳＣ１、ＳＣ２と投射画像Ｐ１、Ｐ２のアスペクト比が一致していないが、符号Ａ、Ｄの例では投射画像Ｐ１、Ｐ２の全体がスクリーンＳＣ１、ＳＣ２上で良好に視認できる。従って、これらの例では、スクリーンＳＣ１、ＳＣ２に対して投射画像Ｐ１、Ｐ２のアスペクト比が適切である。
【００６８】
画像処理部４１が画像情報Ｄのアスペクト比を維持するように画像処理を行って、フレームメモリー４２に画像を描画する場合、投射画像Ｐのアスペクト比は、画像情報Ｄのアスペクト比に依存する。そこで、プロジェクター１は、スクリーンＳＣのアスペクト比に適合する画像情報ＤがＰＣ１００から入力されるように、ＰＣ１００にＥＤＩＤ２５を送信する。以下、この動作を説明する。
【００６９】
［表示システムの動作］
図６は、表示システム２００の動作を示すフローチャートであり、図６において符号Ａはプロジェクター１の動作を示し、符号ＢはＰＣ１００の動作を示す。
プロジェクター１が備える制御部２は、設定処理を実行する（ステップＳＴ１）。ステップＳＴ１の設定処理は、スクリーンＳＣに適合する投射画像Ｐのアスペクト比を設定する処理であり、ステップＳＴ１の詳細について図７及び図８を参照して説明する。
【００７０】
以下に説明する動作において、設定部１４は設定部および検出部として機能し、ＥＤＩＤ処理部１５は制御部として機能する。
【００７１】
［アスペクト比の設定］
図７は、プロジェクター１の動作を示すフローチャートであり、図６のステップＳＴ１の設定処理を詳細に示す。図７の設定処理は、入力処理部４４が検出するユーザーの操作に従ってアスペクト比を設定する場合の動作例である。
【００７２】
設定部１４は、入力処理部４４から入力される操作データを解析し、アスペクト比の設定に関する指示入力を受け付ける（ステップＳＴ１１）。設定部１４は、投射画像Ｐのアスペクト比の候補をスクリーンＳＣに一覧表示する画像を、投射部３により投射させる（ステップＳＴ１２）。ステップＳＴ１２では、例えば、解像度データ２４に含まれる表示モードをリストで示す画像を、投射部３により投射すればよい。
【００７３】
ここで、ユーザーは、操作パネル４５またはリモコン４７を操作して、スクリーンＳＣに適するアスペクト比を選択する操作を行う。
設定部１４は、入力処理部４４から入力される操作データを解析し、スクリーンＳＣに投射された候補を選択する指示入力を受け付ける（ステップＳＴ１３）。設定部１４は、受け付けた入力により選択されたアスペクト比を、投射画像Ｐのアスペクト比として設定する（ステップＳＴ１４）。
ステップＳＴ１４では、ユーザーが選択した１のアスペクト比が設定される。
【００７４】
図７の設定処理において、プロジェクター１は、投射画像Ｐのアスペクト比を変更してもよい。例えば、ステップＳＴ１３で、設定部１４は、アスペクト比の候補の一覧からアスペクト比を選択する操作を受け付けた場合に、選択されたアスペクト比の投射画像Ｐを投射部３により投射させてもよい。また、ユーザーがアスペクト比を選択した場合に、アスペクト比を確定する操作を要求し、アスペクト比を確定する操作の前は繰り返しアスペクト比を選択可能な構成としてもよい。この場合、ユーザーがアスペクト比を選択するごとに、選択されたアスペクト比で投射画像Ｐが投射される。このため、ユーザーは、投射画像Ｐのアスペクト比がスクリーンＳＣに対応するかどうかを、目視により確認しながら、適切なアスペクト比を選択し、確定できる。
【００７５】
図８は、プロジェクター１の動作を示すフローチャートであり、図６のステップＳＴ１の設定処理を詳細に示す。図７の設定処理は、撮像部４３の撮像画像データを利用して、自動的にアスペクト比を設定する場合の動作例である。
図８の設定処理は、図７の設定処理に代えて実行される処理であり、例えば、図６のステップＳＴ１を開始する前に、図７の設定処理を行うか、図８の設定処理を行うかを選択する構成としてもよい。
【００７６】
図８の設定処理を開始すると、設定部１４は、画像情報Ｄに基づく投射画像Ｐの投射を停止する（ステップＳＴ２１）。ステップＳＴ２１で投射を停止した後は、例えば、空白の投射画像Ｐ、メンテナンス用の全面ブルーの投射画像Ｐ、或いは、全面が黒画素で構成される投射画像Ｐ等が表示されてもよい。
【００７７】
続いて、設定部１４は、解像度データ２４に含まれる表示モードのいずれかを選択する（ステップＳＴ２２）。設定部１４は、ステップＳＴ２２で、例えば解像度データ２４に含まれる複数の表示モードを、予め設定された優先順位に従って選択する。
【００７８】
設定部１４は、検出用画像データ２６を取得する（ステップＳＴ２３）。設定部１４は、画像処理部４１による幾何補正をキャンセルする（ステップＳＴ２４）。ステップＳＴ２４では、画像処理部４１に設定された幾何補正の態様や、幾何補正のパラメーターが初期化され、画像処理部４１が幾何補正を行わない状態となる。幾何補正の態様とは、台形歪み補正、樽形歪み補正などの幾何補正の処理内容を指す。
【００７９】
設定部１４は、ステップＳＴ２２で取得した検出用画像データ２６に基づき、画像処理部４１により、フレームメモリー４２に検出用画像を形成させる（ステップＳＴ２５）。ステップＳＴ２５で、画像処理部４１は、液晶パネル３３の最大解像度の画像をフレームメモリー４２に形成する。液晶パネル３３の最大解像度とは、液晶パネル３３の画素が配置された領域のうち、投射画像Ｐを形成するための変調用の領域の全体を使用する場合の解像度、或いは画素数を指し、ネイティブ解像度ということができる。
【００８０】
設定部１４は、ステップＳＴ２５でフレームメモリー４２に形成された検出用画像を、投射部３により投射させ（ステップＳＴ２６）、撮像部４３により、スクリーンＳＣを撮像させる（ステップＳＴ２７）。ステップＳＴ２７で、プロジェクター１は、検出用画像を投射画像ＰとしてスクリーンＳＣに投射している状態で、スクリーンＳＣを撮像する。
【００８１】
設定部１４は、撮像部４３の撮像画像データから上記シンボルを検出する等の処理を行い、スクリーンＳＣと、投射画像Ｐとのアスペクト比の適合状態を判定する（ステップＳＴ２８）。例えば、設定部１４は、撮像画像データからスクリーンＳＣの縁を検出し、投射画像Ｐとして投射された検出用画像の四隅の位置を検出する。この場合、設定部１４は、検出用画像の四隅がスクリーンＳＣの縁の中にあるか否かを判定し、検出用画像の四隅がスクリーンＳＣの縁から所定距離以内にある場合はアスペクト比が適合していると判定する。
【００８２】
設定部１４は、アスペクト比の適合状態を判定し（ステップＳＴ２９）、適合していると判定した場合（ステップＳＴ２９；ＹＥＳ）、ステップＳＴ２２で選択した表示モードのアスペクト比を投射画像Ｐのアスペクト比として設定する（ステップＳＴ３０）。その後、制御部２は図６の処理に戻る。
【００８３】
設定部１４は、アスペクト比が適合していないと判定した場合（ステップＳＴ２９；ＮＯ）、スクリーンＳＣと投射画像Ｐとのアスペクト比の適合状態が、適合候補の条件を満たすか否かを判定する（ステップＳＴ３１）。ステップＳＴ３１で、設定部１４は、例えば、検出用画像の四隅がスクリーンＳＣの縁より内側にある場合はアスペクト比が適合していると判定する。この例では、検出用画像がスクリーンＳＣの外にはみ出していない状態、すなわちスクリーンＳＣから投射画像Ｐが逸脱していないアスペクト比を、適合候補の条件としている。例えば、図５の符号Ａ、Ｄに示す例である。
【００８４】
スクリーンＳＣと投射画像Ｐとのアスペクト比の適合状態が、適合候補の条件を満たす場合（ステップＳＴ３１；ＹＥＳ）、設定部１４は、ステップＳＴ２２で選択した表示モードのアスペクト比を、適合候補として一時的に記憶する（ステップＳＴ３２）。既に適合候補が記憶されている場合は、ステップＳＴ３２で、新たな適合候補のアスペクト比を追加して記憶する。設定部１４は、適合候補のアスペクト比を記憶した後、ステップＳＴ３３に移行する。また、スクリーンＳＣと投射画像Ｐとのアスペクト比の適合状態が、適合候補の条件を満たさない場合（ステップＳＴ３１；ＮＯ）、設定部１４はステップＳＴ３３に移行する。
【００８５】
ステップＳＴ３３で、設定部１４は、解像度データ２４の全ての表示モードについてステップＳＴ２２〜ＳＴ３１を試行したか否かを判定する（ステップＳＴ３３）。試行されていない表示モードがある場合（ステップＳＴ３３；ＮＯ）、設定部１４はステップＳＴ２２に戻り、別の表示モードを選択する。
また、全ての表示モードを試行した場合（ステップＳＴ３３；ＹＥＳ）、設定部１４は、適合候補として記憶したアスペクト比を、投射画像Ｐのアスペクト比として設定し（ステップＳＴ３４）、図６の処理に戻る。ステップＳＴ３４で、適合候補として記憶したアスペクト比が複数ある場合、設定部１４は、複数のアスペクト比から、予め設定された基準でアスペクト比を選択する。例えば、設定部１４は、適合候補のうち、解像度データ２４に含まれる高解像度の表示モードに対応するアスペクト比を、投射画像Ｐのアスペクト比として選択する。この場合、画像情報Ｄの解像度を、より高解像度にすることができる。
【００８６】
図６に戻り、制御部２は、ＥＤＩＤ処理部１５により、ステップＳＴ１の設定処理で設定されたアスペクト比を取得し（ステップＳＴ２）、現在設定されているアスペクト比から変更されたか否かを判定する（ステップＳＴ３）。例えば、プロジェクター１がステップＳＴ１〜ＳＴ５の動作を実行した後、再びステップＳＴ１の動作を実行する場合、ＥＤＩＤ処理部１５は、設定済みのアスペクト比と、ステップＳＴ１で設定されたアスペクト比とを対照する。アスペクト比が変更された場合、変更前のアスペクト比は、本発明の第１のアスペクト比に相当し、ステップＳＴ２で取得した変更後のアスペクト比は、本発明の第２のアスペクト比に相当する。
【００８７】
アスペクト比が変更されていないと判定した場合（ステップＳＴ３；ＮＯ）、制御部２は本処理を終了する。
アスペクト比が変更されたと判定した場合（ステップＳＴ３；ＹＥＳ）、ＥＤＩＤ処理部１５は、ステップＳＴ２で取得したアスペクト比に基づきＥＤＩＤ２５を編集する処理を行う（ステップＳＴ４）。
【００８８】
［ＥＤＩＤの編集］
ステップＳＴ４で、ＥＤＩＤ処理部１５は、ステップＳＴ１で設定された投射画像Ｐのアスペクト比を含むようにＥＤＩＤ２５を編集する。この処理の具体的な態様として、次の例（１）、（２）が挙げられる。
【００８９】
（１）ＥＤＩＤ処理部１５は、ＥＤＩＤ２５を、複数のアスペクト比の候補と、各々の候補の優先順位を指定する情報とを含むデータとする。この場合、ＥＤＩＤ２５は、ステップＳＴ１で設定されたアスペクト比を候補として含み、他のアスペクト比を、候補として含んでもよい。ＥＤＩＤ２５におけるアスペクト比の優先順位は、例えば、ＥＤＩＤ２５に記載されるアスペクト比の順序である。ＥＤＩＤ処理部１５は、ステップＳＴ１で設定されたアスペクト比が、他の候補より優先順位が高くなるように、ＥＤＩＤ２５を編集する。図３の例では、ステップＳＴ１で設定されたアスペクト比が、優先順位が最も高い候補２５Ａとなるように、ＥＤＩＤ処理部１５がＥＤＩＤ２５を編集する。
ＥＤＩＤ２５は、各候補の優先順位を指定するデータを含んでもよく、この場合、ＥＤＩＤ処理部１５は、候補の優先順位を指定するデータをステップＳＴ４で編集する。
【００９０】
（２）ＥＤＩＤ処理部１５は、ＥＤＩＤ２５を、ステップＳＴ１で設定されたアスペクト比を含み、ステップＳＴ４の処理前のＥＤＩＤ２５よりも候補の数が少なくなるように編集する。
【００９１】
ＥＤＩＤ処理部１５は、上記の（１）、（２）の処理の両方を行ってもよいし、いずれか一方のみを行ってもよい。また、ＥＤＩＤ処理部１５は、上記の（１）、（２）の処理で、ステップＳＴ３２（図８）で適合候補として記憶されたアスペクト比を、候補として含むデータとなるようにＥＤＩＤ２５を編集してもよい。
【００９２】
ＥＤＩＤ処理部１５は、ステップＳＴ４で編集したＥＤＩＤ２５をＰＣ１００に送信する（ステップＳＴ５）。なお、ステップＳＴ４で編集したＥＤＩＤ２５は、編集した後、自動的にステップＳＴ５でＰＣ１００に送信してもよいし、ＰＣ１００からの送信要求をインターフェイス部５１などが受信したことに応じて送信してもよい。
【００９３】
ＰＣ１００は、プロジェクター１が送信するＥＤＩＤ２５を受信し（ステップＳＨ１）、受信したＥＤＩＤ２５に基づいて、画像情報Ｄのアスペクト比を決定する（ステップＳＨ２）。例えば、ＰＣ１００は、図３を参照して説明したように、ＥＤＩＤ２５に含まれるアスペクト比の候補のうち、ＰＣ１００が出力可能な画像情報Ｄのアスペクト比に適合する候補を、ＥＤＩＤ２５における優先順位の高い順に選択する。ＥＤＩＤ２５が解像度を指定する情報の候補を含む場合、ステップＳＨ２で、ＰＣ１００は、画像情報Ｄの解像度を選択する。ＰＣ１００は、ステップＳＨ２で決定した解像度またはアスペクト比で画像情報Ｄを出力する。
【００９４】
以上説明したように、本発明を適用した実施形態に係るプロジェクター１は、ＰＣ１００と通信する通信部を備える。プロジェクター１は、通信部を介してＰＣ１００からプロジェクター１に送信されてきた画像情報Ｄに基づく投射画像ＰをスクリーンＳＣに投射する投射部３を備える。また、プロジェクター１は、投射画像Ｐを対象として、アスペクト比を設定する設定部１４と、設定部１４で設定されたアスペクト比に従って、投射画像Ｐを投射部３に投射させる投射制御部１１とを備える。プロジェクター１は、ＰＣ１００が送信する画像情報Ｄのアスペクト比に関するＥＤＩＤ２５を、通信部によりＰＣ１００に送信させるＥＤＩＤ処理部１５を有する。ＥＤＩＤ処理部１５は、設定部１４が投射画像Ｐのアスペクト比を第１のアスペクト比から第２のアスペクト比に変更すると、第２のアスペクト比に基づくＥＤＩＤ２５を、通信部によりＰＣ１００へ送信させる。通信部は、インターフェイス部５１、画像インターフェイス部５２、及び無線通信部５３から選択可能な構成であってもよく、本実施形態では画像インターフェイス部５２である。
【００９５】
本発明の表示装置、及び表示装置の制御方法を適用したプロジェクター１によれば、プロジェクター１の投射画像Ｐのアスペクト比に基づくＥＤＩＤ２５を、ＰＣ１００に送信する。このため、プロジェクター１がＰＣ１００から受信する画像情報Ｄのアスペクト比や解像度を、プロジェクター１の機能により変更させることが可能となる。
【００９６】
ＥＤＩＤ２５は、ＰＣ１００が送信する画像情報Ｄのアスペクト比を含む情報である。これにより、ＰＣ１００がプロジェクター１に送信する画像情報Ｄのアスペクト比、或いは、解像度を、プロジェクター１の機能によって指定できる。
【００９７】
プロジェクター１は、操作を受け付ける入力処理部４４を備える。設定部１４は、入力処理部４４が受け付けた操作により指定されたアスペクト比に基づいて投射画像Ｐのアスペクト比を設定する。これにより、ＰＣ１００から、ユーザーの操作により設定されるアスペクト比または解像度に対応する画像情報Ｄを、プロジェクター１に送信できる。
【００９８】
また、設定部１４は、スクリーンＳＣに適合するアスペクト比を検出する検出部として機能する。設定部１４は、検出結果に基づいて投射画像Ｐのアスペクト比を設定する。これにより、投射画像Ｐのアスペクト比を容易に設定できる。
【００９９】
設定部１４は、設定処理で、投射部３により投射可能な投射画像Ｐのアスペクト比の候補から、スクリーンＳＣに適合するアスペクト比を選択する。設定部１４は、スクリーンＳＣに適合するアスペクト比がアスペクト比の候補に含まれない場合は、スクリーンＳＣから投射画像Ｐが逸脱しないアスペクト比をアスペクト比の候補から選択する。これにより、スクリーンＳＣに適合するアスペクト比が候補の中にない場合であっても、投射画像Ｐのアスペクト比を候補から選択して設定できる。
【０１００】
プロジェクター１は、スクリーンＳＣを撮像する撮像部４３を備える。設定部１４は、設定処理で、撮像部４３の撮像画像に基づきスクリーンＳＣに適合するアスペクト比を選択する。これにより、スクリーンＳＣを撮像することで、投射画像Ｐのアスペクト比を容易に設定できる。
【０１０１】
プロジェクター１において、撮像部４３によりスクリーンＳＣを撮像する際に、投射部３は、通信部を介してＰＣ１００からプロジェクター１に送信されてきた画像情報Ｄに基づく投射画像Ｐの投射を停止する。これにより、スクリーンＳＣの形状やアスペクト比等を適切に検出できる。
【０１０２】
投射部３は、光源３１と、画像を形成する液晶パネル３３を有し、液晶パネル３３に形成される画像により光源が発した光を変調する光変調装置３２と、を備える。撮像部４３によりスクリーンＳＣを撮像する際に、投射部３は、液晶パネル３３の画面解像度、すなわちネイティブ解像度で検出用画像を投射する。これにより、投射部３が備える液晶パネル３３とスクリーンＳＣとの適合状態を、正確に検出できる。
【０１０３】
プロジェクター１は、液晶パネル３３に形成される画像の幾何補正を行う画像処理部４１を備え、撮像部４３によりスクリーンＳＣを撮像する際に、画像処理部４１による幾何補正を停止する。これにより、液晶パネル３３とスクリーンＳＣとの適合状態を、より正確に検出できる。
【０１０４】
また、ＥＤＩＤ２５は、画像情報Ｄのアスペクト比の複数の候補と、各々の候補の優先順位を指定する情報とを含む。ＥＤＩＤ処理部１５は、設定部１４が投射画像Ｐのアスペクト比を第１のアスペクト比から第２のアスペクト比に変更すると、変更後のアスペクト比に基づきＥＤＩＤ２５を編集する。ＥＤＩＤ処理部１５は、第２のアスペクト比を候補として含み、第２のアスペクト比の優先順位が他のアスペクト比よりも高くなるようＥＤＩＤ２５を編集してもよい。ＥＤＩＤ処理部１５は、編集したＥＤＩＤ２５を、通信部によりＰＣ１００に送信させる。これにより、ＰＣ１００が送信する画像情報Ｄのアスペクト比を、プロジェクター１の投射画像Ｐに適したアスペクト比に設定させることができる。
【０１０５】
また、ＥＤＩＤ処理部１５は、ＥＤＩＤ２５を編集する場合、ＥＤＩＤ２５に含まれる候補の数を減少させて、第２のアスペクト比を含ませる処理をＥＤＩＤ２５に対して行い、処理後のＥＤＩＤ２５を通信部により送信させてもよい。これにより、ＰＣ１００が送信する画像情報Ｄのアスペクト比を、プロジェクター１の投射画像Ｐに適したアスペクト比に設定させることができる。
【０１０６】
なお、上述した各実施形態は本発明を適用した具体的態様の例に過ぎず、本発明を限定するものではなく、異なる態様として本発明を適用することも可能である。例えば、上記実施形態では、画像インターフェイス部５２にＰＣ１００が接続された構成を示したが、インターフェイス部５１や無線通信部５３が通信部として機能し、ＰＣ１００と通信を行ってもよい。
【０１０７】
また、上記実施形態で、プロジェクター１は、設定部１４が図７〜図８の設定処理により投射画像Ｐのアスペクト比を設定し、設定したアスペクト比に基づきＥＤＩＤ２５を編集するものとして説明した。アスペクト比は、解像度により求めることができ、本発明は、設定部１４が投射画像Ｐの解像度を設定する例に適用することもできる。この場合、設定部１４は、図７〜図８の設定処理で投射画像Ｐの解像度を設定する。ＥＤＩＤ処理部１５は、設定部１４が設定した投射画像Ｐの解像度に基づき、ＥＤＩＤ２５を編集する。この場合、ＥＤＩＤ２５は、アスペクト比を直接的に指定する情報を含まず、解像度を指定する情報を含むデータであってもよい。この場合も、投射画像Ｐのアスペクト比に基づき画像情報Ｄのアスペクト比を制御できることは上記実施形態と同様であるため、同様の効果が得られる。
【０１０８】
また、本発明の表示装置は、スクリーンＳＣに画像を投射するプロジェクター１に限定されない。例えば、液晶表示パネルを有する液晶ディスプレイであってもよい。また、例えば、ＰＤＰ（プラズマディスプレイパネル）、有機ＥＬ表示パネルを有するディスプレイであってもよく、その他の各種の表示装置にも本発明を適用可能である。
【０１０９】
また、上記実施形態でブロック図に示した各機能ブロックのうち少なくとも一部は、ハードウェアで実現してもよく、ハードウェアとソフトウェアの協働により実現される構成としてもよい。従って、ブロック図に示した通りに独立したハードウェア資源を配置する構成に限定されない。また、制御部が実行するプログラムは、記憶部または他の記憶装置（図示略）に記憶されてもよい。また、制御部が、外部の装置に記憶されたプログラムを取得して実行する構成としてもよい。その他、表示システム２００を構成する機器の他の各部の具体的な細部構成についても、本発明の趣旨を逸脱しない範囲で任意に変更可能である。
【符号の説明】
【０１１０】
１…プロジェクター（表示装置）、２…制御部、３…投射部、１０…ＣＰＵ、１１…投射制御部、１２…通信制御部、１３…操作検出部、１４…設定部（設定部、検出部）、１５…ＥＤＩＤ処理部（制御部）、２０…メモリー、２１…制御プログラム、２２…設定データ、２３…撮像画像データ、２４…解像度データ、２５…ＥＤＩＤ（第１の情報）、２５Ａ、２５Ｂ、２５Ｃ…候補、２６…検出用画像データ、３１…光源、３２…光変調装置（変調部）、３３…液晶パネル（画像形成部）、３４…投射光学系、３５…光源駆動部、３６…光変調装置駆動部、４１…画像処理部、４２…フレームメモリー、４３…撮像部、４４…入力処理部（操作部）、４５…操作パネル、４６…リモコン受光部、４７…リモコン、５０…バス、５１…インターフェイス部（通信部）、５２…画像インターフェイス部（通信部）、５３…無線通信部（通信部）、１００…ＰＣ（外部の装置）、Ｄ…画像情報、Ｐ、Ｐ１、Ｐ２…投射画像、ＳＣ、ＳＣ１、ＳＣ２…スクリーン（投射面）。
【図１】
2019134263.tif 000003
【図２】
2019134263.tif 000004
【図３】
2019134263.tif 000005
【図４】
2019134263.tif 000006
【図５】
2019134263.tif 000007
【図６】
2019134263.tif 000008
【図７】
2019134263.tif 000009
【図８】
2019134263.tif 000010